(57)【要約】【課題】負荷側電線のアース端子への接続が容易であり、しかもケースの大型化を避けることができる分電盤を提供する。【解決手段】本発明の分電盤は、ケース１の内部に左右方向に配置された主幹ブレーカ４と分岐ブレーカ７との間のスペースに、複数のアース端子１０を備えたアース端子台９を縦に配置したものである。ケース１が背面下部に配線孔３を備えたものであり、この配線孔３に対して、分岐ブレーカ７の負荷側端子８とアース端子台９とが略Ｌ字状に配置されている構造とすれば、負荷側配線の接続作業が容易となる。【選択図】図１
2009177969.tif 000002
【特許請求の範囲】
【請求項１】
ケース内部に主幹ブレーカと分岐ブレーカとを左右方向に配置した分電盤において、主幹ブレーカと分岐ブレーカとの間のスペースに、複数のアース端子を備えたアース端子台を縦に配置したことを特徴とする分電盤。
【請求項２】
主幹ブレーカに接続された主幹バーをケース内部の上方に水平配置し、この主幹バーに下方から接続される分岐ブレーカを一列に配置したことを特徴とする請求項１に記載の分電盤。
【請求項３】
ケースが背面下部に配線孔を備えたものであり、この配線孔に対して、分岐ブレーカの負荷側端子とアース端子台とが略Ｌ字状に配置されていることを特徴とする請求項２に記載の分電盤。
【発明の詳細な説明】
【技術分野】
【０００１】
本発明は、ケース内部に主幹ブレーカと分岐ブレーカとを配置した分電盤に関するものであり、特に住宅用分電盤として用いるに適した分電盤に関するものである。
【背景技術】
【０００２】
住宅用分電盤としては、ケース内部に主幹ブレーカと分岐ブレーカとを左右方向に配置した分電盤が一般的である。このような分電盤においては、電源は主幹ブレーカに入線され、主幹ブレーカの負荷側に接続された主幹バーを介して各分岐ブレーカに分岐され、各分岐ブレーカの負荷側端子から各負荷に給電されている。また分電盤のケース内部には複数のアース端子を備えたアース端子台が設置され、負荷側電線を分岐ブレーカの負荷側端子とアース端子とに接続できるようになっている。
【０００３】
このようなアース端子台は、分岐ブレーカの上部または下部に配置されるのが普通であった。例えば特許文献１には、ケースの側縁部に沿ってアース端子台を配置した例が開示されている。この特許文献１のような配置を取れば、分岐ブレーカの負荷側端子及びアース端子への負荷側電線を行い易い利点がある。
【０００４】
ところが、分岐ブレーカの上部または下部にアース端子台を配置するための余分なスペースが必要となるため、ケースのサイズを大きくしなければならなかった。またケースの側縁部のうち、分岐ブレーカの側方位置にアース端子台を配置した場合にも、やはりその分のスペースが必要となり、ケースが大きくなっていた。特に住宅用分電盤においてはサイズの小型化が求められているため、ケースの大型化は問題となっていた。
【特許文献１】特開平１０−１５５２１２号公報
【発明の開示】
【発明が解決しようとする課題】
【０００５】
本発明は上記した従来の問題点を解決して、負荷側電線のアース端子への接続が容易であり、しかもケースの大型化を避けることができる分電盤を提供することを目的とするものである。
【課題を解決するための手段】
【０００６】
上記の課題を解決するためになされた本発明の分電盤は、ケース内部に主幹ブレーカと分岐ブレーカとを左右方向に配置した分電盤において、主幹ブレーカと分岐ブレーカとの間のスペースに、複数のアース端子を備えたアース端子台を縦に配置したことを特徴とするものである。
【０００７】
なお請求項２のように、主幹ブレーカに接続された主幹バーをケース内部の上方に水平配置し、この主幹バーに下方から接続される分岐ブレーカを一列に配置した構造とすることが好ましく、また請求項３のように、ケースが背面下部に配線孔を備えたものであり、この配線孔に対して、分岐ブレーカの負荷側端子とアース端子台とが略Ｌ字状に配置されている構造とすることが好ましい。
【発明の効果】
【０００８】
本発明の分電盤は、ケース内部に左右方向に配置された主幹ブレーカと分岐ブレーカとの間のスペースに、アース端子台を縦に配置したものである。この主幹ブレーカと分岐ブレーカとの間のスペースには主幹ブレーカと主幹バーを接続する渡りバーが配置しており、従来は機器は配置されないものであったが、本発明ではそのスペースを有効利用したので、ケースの大型化を避けることができる。
【０００９】
また請求項２のように主幹バーをケース内部の上方に水平配置し、この主幹バーに下方から接続される分岐ブレーカを一列に配置した構造とすれば、分岐ブレーカの負荷側端子への負荷側電線の接続が容易となり、これに加えてさらに請求項３のようにケースの背面下部に形成された配線孔に対して、分岐ブレーカの負荷側端子とアース端子台とを略Ｌ字状に配置すれば、負荷側電線をアース端子に接続する作業も容易に行うことができる。
しかもケースの配線孔が形成された部分は強度が低下するが、アース端子台を取り付けることによって強度低下も防止することができる。
【発明を実施するための最良の形態】
【００１０】
以下に図面を参照しつつ、本発明の好ましい実施形態を示す。
図１は本発明の実施形態の分電盤を示す正面図、図２はその斜視図である。これらの図中、１は分電盤の外郭を構成する樹脂製のケースであり、その背面板の下部には左右の配線孔２、３が形成されている。左側の配線孔２は電源線引き込み用であり、右側の配線孔３は負荷側配線用である。
【００１１】
ケース１の左側には、主幹ブレーカ４が配置されている。この実施形態では主幹ブレーカ４は電源側端子を下側として配置され、電源線引き込み用の配線孔２を通じて背面から引き込まれた３相の電源線５が接続されている。また主幹ブレーカ４の上側に位置する負荷側端子には、渡りバー６を介して３相の主幹バーが接続されている。なおこれらの図では主幹バーはカバーに覆われて見えていない。
【００１２】
この実施形態では主幹バーはケース１の内部上方に水平配置されることとなり、この主幹バーに分岐ブレーカ７が下方から接続されている。分岐ブレーカ７の構造は特に限定されるものではないが例えばプラグイン型ブレーカであり、電源側端子を主幹バーにプラグインして横一列に配置されている。従って各分岐ブレーカ７の負荷側端子８は当然ながら下向きとなる。図面では４個の分岐ブレーカ７が図示されているが、その数は適宜増減することができる。
【００１３】
このように本発明では主幹ブレーカ４と分岐ブレーカ７とはケース１の内部に左右方向に配置されており、これらの主幹ブレーカ４と分岐ブレーカ７との間のスペースに、アース端子台９が縦に配置されている。アース端子台９は特許文献１にも記載されているように、端子取付台上に複数のアース端子１０を備えたものである。各アース端子１０は電線を挿入するだけで接続可能な速結端子と呼ばれる形式であることが好ましい。
【００１４】
前述したように、主幹ブレーカ４と分岐ブレーカ７との間のスペースは従来の分電盤においてはデッドスペースとなっていたのであるが、本発明はこの幅狭のスペースに細長いアース端子台９を縦に配置したものである。このためにケース１のサイズを拡大することなく、アース端子台９を配置することができる。またケース１の背面板のうち、配線孔２，３が形成され下方部分は機械的強度が低下するが、アース端子台９を取り付けることによって強度低下も防止できることとなる。
【００１５】
図１に示されるように、負荷側電線１１は分岐ブレーカ７の負荷側端子８に接続され、配線孔３を通して背面に延びている。また各負荷のアース線１２はアース端子台９のアース端子１０に接続される。このとき本実施形態のように、配線孔３に対して分岐ブレーカ７の負荷側端子８とアース端子台９とを略Ｌ字状に配置しておけば、アース線１２の配線作業が行い易くなる利点が生ずる。
【００１６】
また上記の実施形態のような配置を取れば、ケース１の下部内壁付近に形成されたノックアウト部１３がアース端子台９によって塞がれることもなく、ノックアウト部１３を破壊して下方から負荷側電線１１を引き出すことも可能となる。
【００１７】
以上に説明したように、本発明の分電盤は、負荷側電線１１のアース端子１０への接続作業が容易であり、しかもケース１の大型化を避けることができる利点がある。
【図面の簡単な説明】
【００１８】
【図１】本発明の実施形態の分電盤を示す正面図である。
【図２】本発明の実施形態の分電盤を示す斜視図である。
【符号の説明】
【００１９】
１  ケース
２  配線孔
３  配線孔
４  主幹ブレーカ
５  電源
６  渡りバー
７  分岐ブレーカ
８  負荷側端子
９  アース端子台
１０  アース端子
１１  負荷側電線
１２  アース線
１３  ノックアウト部
【図１】
2009177969.tif 000003
【図２】
2009177969.tif 000004